(57)【要約】【課題】本考案は、炎天下の太陽光線、紫外線を遮断し、且つ、薄くて軽くて、デザイン、ファッション性に富む織物素材からなるアームカバーを提供することを課題とする。【解決手段】各辺を右回りで、辺Ａ、Ｂ、Ｃ、Ｄとした織物（１）からなり、辺ＢとＤを接合し、巻きロック縫いして筒状体に結合し、前記、巻きロック縫い（２）線上に、筒状体のいずれかの片端から３〜１０ｃｍの位置（Ｘ）に直径または短径が１〜７ｃｍの円または楕円を形成し、前記円または楕円の外郭が巻きロック縫い（２）され、且つ、筒状体の両端部から１〜５ｃｍの幅（Ｙ）に、伸縮糸（４）が挿入されていることを特徴とするアームカバー。【選択図】図１
0003180068.tif 000002
【実用新案登録請求の範囲】
【請求項１】
各辺を右回りで、辺Ａ、Ｂ、Ｃ、Ｄとした織物（１）からなり、辺ＢとＤを接合し、巻きロック縫いして筒状体に結合し、前記、巻きロック縫い（２）線上に、筒状体のいずれかの片端から３〜１０ｃｍの位置（Ｘ）に直径または短径が１〜７ｃｍの円または楕円を形成し、前記円または楕円の外郭が巻きロック縫い（２）され、且つ、筒状体の両端部から１〜５ｃｍの幅（Ｙ）に、伸縮糸（４）が挿入されていることを特徴とするアームカバー。
【請求項２】
筒状体の端部から多くとも１０ｃｍ間隔で、伸縮糸（４）が１本以上、挿入されている請求項１に記載のアームカバー。
【請求項３】
織物（１）が１重および／または多重織ガーゼ組織からなる織物であり、前記多重織ガーゼ組織は、縞模様を形成しており、前記縞模様が、少なくともたて縞、よこ縞または格子縞のいずれかである請求項１または２に記載のアームカバー。
【考案の詳細な説明】
【技術分野】
【０００１】
本考案はアームカバーに関する。殊に、日よけ、紫外線（ＵＶ）カット性に優れ、軽くてファッション性に富むアームカバーに関する。
【背景技術】
【０００２】
従来、各種の作業に携わる作業者が腕に着用するアームカバーが知られている。
【０００３】
これらのアームカバーの例としては、例えば特許文献１の例がある。この事例は、筒状のカバー本体の下端に袖口部が縫着され、カバー本体の腕側端部にゴム紐が縫着されてなるアームカバーであり、使用者の着用感を大きく改善することができると記載されている。しかしながら、このアームカバーは、例えば、食品加工を行う工場の製造ライン等における着用には適するが、炎天下の自動車や自転車の運転、外出、ウォーキング、野外スポーツ等の観戦には不向きである。
【０００４】
また、他の事例として、例えば特許文献２の例がある。この文献２には、着用者の上腕を覆う上腕部と、着用者の肘を覆う肘部と、着用者の前腕を覆う前腕部とを備えるアームカバーであって、前記上腕部、肘部及び前腕部の素材が、弾性経編物であること、前記アームカバーが、前記肘部の両側部に、肘頭に向かって突出する三日月形状の切替え部を有する事、そして着用時に、着用者の少なくとも上腕部及び前腕に、圧が加えられること、を特徴とするアームカバーが記載されている。
【０００５】
しかしながら、特許文献２は、素材全体が弾性経編物からなり、アームカバーは、腕、肘と、全体に圧力がかかり布体が腕、肘に密着している。
【先行技術文献】
【特許文献】
【０００６】
【特許文献１】実用新案登録第３１７３０３１号公報
【特許文献２】特開２０１２−５２２４５号公報
【考案の概要】
【考案が解決しようとする課題】
【０００７】
本考案は、炎天下の太陽光線、紫外線を遮断し、且つ、肌触りがよく、薄くて軽くて、デザイン、ファッション性に富む織物素材からなるアームカバーを提供することを課題とする。
【課題を解決するための手段】
【０００８】
本考案は、各辺を右回りで、辺Ａ、Ｂ、Ｃ、Ｄとした織物（１）からなり、辺ＢとＤを接合し、接合部を巻きロック縫いして筒状体に結合し、前記、巻きロック縫い（２）線上に、筒状体のいずれかの片端から３〜１０ｃｍの位置（Ｘ）に直径または短径が１〜７ｃｍの円形または楕円形の指穴（３）を形成し、前記円または楕円の外郭が巻きロック縫いされ、且つ、筒状体の両端部から１〜５ｃｍの幅（Ｙ）に、伸縮糸（４）が挿入されていることを特徴とするアームカバーである。
【０００９】
筒状体の端部から多くとも１０ｃｍ間隔で、伸縮糸（４）が１本以上、挿入されているのが好ましい。
【００１０】
織物（１）が１重および／または多重織ガーゼ組織からなる織物であることが好ましく、前記多重織ガーゼ組織は、縞模様が形成されており、前記縞模様が、少なくともたて縞、よこ縞または格子縞のいずれかであることが好ましい。
【００１１】
筒状体の両端部から１〜５ｃｍの幅（Ｙ）および織物のたて糸の長さ方向に、１０〜１００ｍｍ、特に２０〜５０ｍｍの間隔をあけて、挿入する伸縮糸は織物の製織段階で、織物の組織の中に、よこ糸として伸縮糸を打ち込んで製織することが出来る。
【考案の効果】
【００１２】
本考案のアームカバーは、通気性が良く、軽くて、炎天下の日よけ、ＵＶカット性に優れ、柔らかくて優しい肌触りは、一度使えば手放せない効果がある。特に、従来のアームカバーには見られないデザインが優雅でファッション性に優れる。
【図面の簡単な説明】
【００１３】
【図１】本考案の実施例で得られたアームカバーの概略を示す図である。
【図２】本考案の実施例で作製に用いた、縫製する前の織物の展開図である。
【図３】本考案の実施例に用いたガーゼ織物を示す図である。
【図４】本考案の実施例のガーゼ織物の織物組織図である。
【考案を実施するための形態】
【００１４】
本考案のアームカバーは、各辺を右回りで、辺Ａ、Ｂ、Ｃ、Ｄとした織物（１）からなり、辺ＢとＤを接合し、巻きロック縫いして筒状体に結合し、前記、巻きロック縫い（２）した線上に、筒状体のいずれかの片端から３〜１０ｃｍの位置（Ｘ）に直径または短径が１〜７ｃｍの円または楕円を形成し、前記円または楕円の外郭が巻きロック縫い（２）され、且つ、筒状体の両端部から１〜５ｃｍの幅（Ｙ）に、伸縮糸が挿入されていることを特徴とするアームカバーである。
【００１５】
本考案に用いる織物は、図２の展開図に示すように各辺を右回りで、辺Ａ、Ｂ、Ｃ、Ｄに裁断し、辺ＢとＤを接合し、巻きロック縫いして筒状体に結合する。
【００１６】
本考案に言う巻きロック縫いとは、生地のカット部の略数ミリメートル程度の縫い代をミシンで巻き回してロック縫いすることを言う。また、別呼称として、メロー加工、メロー縫とも言う。
【００１７】
本考案に言う巻きロック縫いとは、別名飾りミシン縫いともいい、縫合部を、補強と装飾を兼ねて表から巻きロックミシン縫いをする。
【００１８】
本考案では、織物の筒状体のいずれかの片端から３〜１０ｃｍの位置（Ｘ）に円の場合は直径、楕円の場合は短径が１〜７ｃｍの穴を形成し、穴のカット部を巻きロック縫いする。この穴はアームカバーの手先方向の指止めに利用される。
【００１９】
前記、手先方向の指止めに利用される穴は、親指で止める場合にあっては、１個でもよいが多数本の指で止める場合にあっては、２〜５個設けても良い。
【００２０】
本考案では、織物の筒状体の端部から１〜５ｃｍの幅（Ｙ）に、伸縮糸が挿入されている。
【００２１】
伸縮糸としては、ストレッチ性を保持する糸であれば、何でも良く、特に限定するものではないが好ましくはポリウレタン弾性糸がよい。
【００２２】
織物の筒状体の端部から１〜５ｃｍの幅（Ｙ）に挿入する伸縮糸の挿入密度は、幅１ｃｍあたり、５〜２０本、好ましくは、８〜１５本とするのが良い。
【００２３】
織物が１重および／または多重織ガーゼ組織からなる織物であるのが良い。
【００２４】
織物が１重および／または多重織ガーゼ組織からなる織物であることが好ましく、前記多重織ガーゼ組織は、縞模様が形成されており、前記縞模様が、少なくともたて縞、よこ縞または格子縞のいずれかであるのが良い。
【００２５】
さらに、織物のたて糸の長さ方向に、１０〜１００ｍｍ、好ましくは１０〜８０ｍｍ、特に２０〜５０ｍｍの間隔をあけて、よこ糸に伸縮糸が挿入されている形態が望ましい。
【００２６】
前記織物のたて糸の長さ方向に、１０〜１００ｍｍ、好ましくは１０〜８０ｍｍ、特に２０〜５０ｍｍの間隔をあけて、よこ糸として伸縮糸が挿入されている形態の場合は、織物に伸縮糸の収縮力が部分的に働くので、心地よい着用時の接圧感が得られる。
【００２７】
前記、筒状体の両端部から１〜５ｃｍの幅（Ｙ）に、よこ糸として挿入する伸縮糸の打ち込み本数は、１本以上複数本でもよいが、あまり多く打ち込むと織物の形態、ならびにファッション性に影響がでてくるので、２〜３本とするのが良い。
【００２８】
本考案のアームカバーを構成するガーゼ織物に用いるよこ糸および地たて糸は、綿、レーヨン、麻、ウール、絹、アクリル、ポリエステル、ナイロン、ポリエチレン素材からなる糸が用いられる。これらの素材は、とくに限定されることなく、使用目的用途に応じて、適宜選択が可能であるが、特に、綿、麻、絹およびオーガニックコットンが良い。
【実施例】
【００２９】
（実施例１）
タオル織機を用い、二重ビーム（パイルビーム、グランドビーム）、綜絖（ヘルドともいう）枠数１４枚を用い、図４に示す織物組織図に基づいて図３に示すガーゼ織物を織製した。
【００３０】
図３は、平織りで形成された１重織ガーゼ組織と２重織ガーゼ組織で格子縞模様が形成され一体組織で接結織製されている。
【００３１】
図４のたての１〜４の数字は、よこ糸ピック数を示す。よこの１〜１４の数字は綜絖枠数を示す。Ｐはパイル糸、Ｇはグランド糸を示す。Ａは上げる、Ｓは沈む、を示す。
【００３２】
上記のとおり、織製された織物を、図２に示す展開図に基づいて、裁断し、辺ＢとＤを接合し、巻きロック縫いして筒状体に結合し、前記、巻きロック縫いした線上に、筒状体の片端から５ｃｍの位置に直径が２ｃｍの円形の指穴を形成し、前記円の外郭を巻きロック縫いミシンで巻きロック縫いして筒状体を形成した。
【００３３】
筒状態の両端部から１．５ｃｍの幅中に、織物の製織段階でポリウレタン弾性糸を１８本挿入した。
【００３４】
筒状態の端部（前記１．５ｃｍの伸縮糸打ち込み部を除く）から３ｃｍピッチの間隔に２本のポリウレタン弾性糸を挿入した。
【産業上の利用可能性】
【００３５】
通気性が良く、軽くて、炎天下の日よけ、ＵＶカット性に優れ、柔らかくて優しい肌触りは、一度使えば手放せない効果がある。特に、従来のアームカバーには見られないデザインが優雅でファッション性に優れたアームカバーが提供できる。
【符号の説明】
【００３６】
Ａ：辺Ａ
Ｂ：辺Ｂ
Ｃ：辺Ｃ
Ｄ：辺Ｄ
Ｘ：端部から指穴中心までの長さ
Ｙ：伸縮糸挿入部
１：織物
２：巻きロック縫い
３：指穴
４：伸縮糸
５：１重織ガーゼ組織
６：２重織ガーゼ組織
【図１】
0003180068.tif 000003
【図２】
0003180068.tif 000004
【図４】
0003180068.tif 000005
【図３】
0003180068.tif 000006